(57)【要約】【課題】複数のＣＣを利用する無線通信システムにおいて、複数のＣＣを同時に用いた上りリンクの同時送信ができない無線端末装置を収容することに寄与する。【解決手段】複数の周波数帯域を利用して無線基地局装置１−１、１−２と同時に通信する無線端末装置２に関する通信の設定を行う無線基地局装置１−１に、無線端末装置２が各周波数帯域で送信を行うことが可能な時間を示す通信設定情報を作成する通信設定作成部１１を備えたことを特徴とする。【選択図】図１
2014138336.tif 000002
【特許請求の範囲】
【請求項１】
複数の周波数帯域を利用して無線基地局装置と同時に通信する無線端末装置に関する通信の設定を行う通信設定装置であり、
前記無線端末装置が前記各周波数帯域で送信を行うことが可能な時間を示す通信設定情報を作成する通信設定作成部を備えたことを特徴とする通信設定装置。
【請求項２】
前記無線端末装置がＦＤＤの複数の前記周波数帯域を用いて送信行い、且つ、音声通話を同時に行う場合に、当該ＦＤＤの複数の周波数帯域に対して、４個の連続する送信可能ＴＴＩが８個のＴＴＩ周期または１６個のＴＴＩ周期となるように設定する、
ことを特徴とする請求項１に記載の通信設定装置。
【請求項３】
前記無線端末装置がＦＤＤの前記周波数帯域とＴＤＤの前記周波数帯域とを用いて送信を行う場合に、当該ＴＤＤの周波数帯域のＴＤＤパタンにおいて上りリンク送信以外の時間に対して、当該ＦＤＤの周波数帯域における送信可能ＴＴＩを設定する、
ことを特徴とする請求項１に記載の通信設定装置。
【請求項４】
前記無線端末装置がＦＤＤの前記周波数帯域とＴＤＤの前記周波数帯域とを用いて送信を行う場合に、
当該ＦＤＤの周波数帯域と当該ＴＤＤの周波数帯域とで排他的に設定された送信可能ＴＴＩのうち、
当該ＦＤＤの周波数帯域に対して、当該設定済みの送信可能ＴＴＩに加えて、当該ＴＤＤの周波数帯域のＴＤＤパタンで上りリンク送信以外の時間を、当該無線端末装置が送信可能な時間に設定し、
当該ＴＤＤの周波数帯域に対して、当該設定済みの送信可能ＴＴＩのうち、当該ＴＤＤの周波数帯域のＴＤＤパタンで上りリンク送信の時間のみを、当該無線端末装置が送信可能な時間に設定する、
ことを特徴とする請求項１に記載の通信設定装置。
【請求項５】
請求項１から４のいずれか１項に記載の通信設定装置を備えたことを特徴とする無線基地局装置。
【請求項６】
複数の周波数帯域を利用して無線基地局装置と同時に通信する無線端末装置において、
請求項１から４のいずれか１項に記載の通信設定装置から受信した通信設定情報を格納する通信設定保持部を備え、
事前に割り当てられている特定信号の送信用の上りリンクＴＴＩにおいて、前記通信設定情報による上りリンク送信を行うことが可能な時間での上りリンク送信なし、且つ、他の周波数帯域で上り送信なしである場合に、当該特定信号の送信を行う、  ことを特徴とする無線端末装置。
【発明の詳細な説明】
【技術分野】
【０００１】
本発明は、通信設定装置、無線基地局装置および無線端末装置に関する。
【背景技術】
【０００２】
３ＧＰＰ（3rd Generation Partnership Project）で標準化作業が進められているＬＴＥ（Long Term Evolution）と呼ばれる無線通信方式では、多元接続方式として、基地局から端末へ向かう方向の回線（下りリンク）にＯＦＤＭＡ（Orthogonal Frequency Division Multiple Access）方式を用い、端末から基地局へ向かう方向の回線（上りリンク）にＳＣ−ＦＤＭＡ（Single Carrier Frequency Division Multiple Access）方式を用いる。その伝送速度は、１．４ＭＨｚ〜２０ＭＨｚの帯域を用いて、下りリンクで最大３００Ｍｂｐｓ程度を、また上りリンクで最大７５Ｍｂｐｓ程度を実現できる。
【０００３】
そして、更なる周波数利用効率及びピークデータレートの向上などを目的として、ＬＴＥアドバンスト（LTE-Advanced）と呼ばれるＬＴＥの後継のシステムが検討されている。ＬＴＥアドバンストシステムでは、ＬＴＥシステムが使用可能な帯域幅のコンポーネントキャリア（CC：Component carrier）を複数同時に使用するＣＡ（Carrier aggregation）が採用されている。
【０００４】
また、図７に例示される無線通信システムが検討されている（例えば、非特許文献１参照）。図７の無線通信システムでは、無線端末装置３００が、異なる場所に設置された複数の無線基地局装置１００、２００との間で、異なる周波数ｆ０、ｆ１を使用して同時通信する。
【０００５】
一方、図７の無線通信システムにおいて、複数のＣＣを同時に用いた上りリンクの同時送信ができない無線端末装置を収容する場合、該無線端末装置の上りリンク送信をどのように行うかが課題である。特許文献１では、上りリンク送信で使用するＣＣを固定し、２つのＣＣで発生する上り制御チャネルの情報を、固定したＣＣで送る際の符号化方法について提案している。特許文献２では、ＦＤＤ（Frequency Division Duplexing、周波数分割複信）方式のＣＣとＴＤＤ（Time Division Duplexing、時分割複信）方式のＣＣを用いてＣＡを行った場合における、上りリンクの制御チャネルの送信方法を提案している。特許文献１、２に記載の従来技術では、２つのＣＣで発生する上り制御チャネルの情報を、１つのＣＣでまとめて送信するようにしている。
【先行技術文献】
【特許文献】
【０００６】
【特許文献１】特開２０１２−１１００２２号公報
【特許文献２】特開２０１２−５４７１１号公報
【非特許文献】
【０００７】
【非特許文献１】NTTドコモ、RWS-120010、“Requirements, Candidate Solutions & Technology Roadmap for LTE Rel-12 Onward”、3GPP Workshop on Release 12 and onwards、2012年6月
【発明の概要】
【発明が解決しようとする課題】
【０００８】
しかし、上述した特許文献１、２の従来技術では、上りリンクにおいて、上りのデータトラヒックの有無が制御チャネル送信に与える影響について考慮されていない。例えば、図８に例示されるように、あるＣＣの下りデータ送信用チャネル（
PDSCH：Physical Downlink Shared Channel）によるデータ送信に対するＡＣＫ／ＮＡＣＫ返信が、異なるＣＣの上りデータ送信用チャネル（PUSCH：Physical Uplink Shared Channel）によるデータ送信と同時に発生するという、不都合が生じる可能性がある。
【０００９】
本発明は、このような事情を考慮してなされたもので、複数のＣＣを利用する無線通信システムにおいて、複数のＣＣを同時に用いた上りリンクの同時送信ができない無線端末装置を収容することに寄与できる通信設定装置、無線基地局装置および無線端末装置を提供することを課題とする。
【課題を解決するための手段】
【００１０】
上記の課題を解決するために、本発明に係る通信設定装置は、複数の周波数帯域を利用して無線基地局装置と同時に通信する無線端末装置に関する通信の設定を行う通信設定装置であり、前記無線端末装置が前記各周波数帯域で送信を行うことが可能な時間を示す通信設定情報を作成する通信設定作成部を備えたことを特徴とする。
【００１１】
本発明に係る通信設定装置においては、前記無線端末装置がＦＤＤの複数の前記周波数帯域を用いて送信行い、且つ、音声通話を同時に行う場合に、当該ＦＤＤの複数の周波数帯域に対して、４個の連続する送信可能ＴＴＩが８個のＴＴＩ周期または１６個のＴＴＩ周期となるように設定する、ことを特徴とする。
【００１２】
本発明に係る通信設定装置においては、前記無線端末装置がＦＤＤの前記周波数帯域とＴＤＤの前記周波数帯域とを用いて送信を行う場合に、当該ＴＤＤの周波数帯域のＴＤＤパタンにおいて上りリンク送信以外の時間に対して、当該ＦＤＤの周波数帯域における送信可能ＴＴＩを設定する、ことを特徴とする。
【００１３】
本発明に係る通信設定装置においては、前記無線端末装置がＦＤＤの前記周波数帯域とＴＤＤの前記周波数帯域とを用いて送信を行う場合に、当該ＦＤＤの周波数帯域と当該ＴＤＤの周波数帯域とで排他的に設定された送信可能ＴＴＩのうち、当該ＦＤＤの周波数帯域に対して、当該設定済みの送信可能ＴＴＩに加えて、当該ＴＤＤの周波数帯域のＴＤＤパタンで上りリンク送信以外の時間を、当該無線端末装置が送信可能な時間に設定し、当該ＴＤＤの周波数帯域に対して、当該設定済みの送信可能ＴＴＩのうち、当該ＴＤＤの周波数帯域のＴＤＤパタンで上りリンク送信の時間のみを、当該無線端末装置が送信可能な時間に設定する、ことを特徴とする。
【００１４】
本発明に係る無線基地局装置は、前述のいずれかの通信設定装置を備えたことを特徴とする。
【００１５】
本発明に係る無線端末装置は、複数の周波数帯域を利用して無線基地局装置と同時に通信する無線端末装置において、前述のいずれかの通信設定装置から受信した通信設定情報を格納する通信設定保持部を備え、事前に割り当てられている特定信号の送信用の上りリンクＴＴＩにおいて、前記通信設定情報による上りリンク送信を行うことが可能な時間での上りリンク送信なし、且つ、他の周波数帯域で上り送信なしである場合に、当該特定信号の送信を行う、ことを特徴とする。
【発明の効果】
【００１６】
本発明によれば、複数のＣＣを利用する無線通信システムにおいて、複数のＣＣを同時に用いた上りリンクの同時送信ができない無線端末装置を収容することに寄与できるという効果が得られる。
【図面の簡単な説明】
【００１７】
【図１】本発明の一実施形態に係る無線通信システムの概略構成図である。
【図２】本発明に係る通信設定情報の作成方法の実施例１を説明するための通信設定情報の例である。
【図３】本発明に係る通信設定情報の作成方法の実施例２を説明するための通信設定情報の例である。
【図４】本発明に係る通信設定情報の作成方法の実施例３を説明するための通信設定情報の例である。
【図５】本発明に係る通信設定情報の作成方法の実施例４を説明するための通信設定情報の例である。
【図６】本発明に係る通信制御処理の実施例５を説明するためのフローチャートである。
【図７】無線通信システムの一例を示す概略構成図である。
【図８】従来の通信設定例を説明するための説明図である。
【発明を実施するための形態】
【００１８】
以下、図面を参照し、本発明の実施形態について説明する。以下の実施形態では、無線通信方式の一例としてＬＴＥ及びＬＴＥアドバンストを挙げて説明する。
【００１９】
図１は、本発明の一実施形態に係る無線通信システムの概略構成図である。図１において、無線端末装置（以下、単に端末と称する）２は、複数（図１の例では２台）の無線基地局装置（以下、単に基地局と称する）１−１、１−２との間で、異なるＣＣを用いて通信を行う。基地局１−１は、通信設定作成部１１と通信設定保持部１２を備える。基地局１−２は通信設定保持部１２を備える。端末２は通信設定保持部２１を備える。
【００２０】
通信設定作成部１１は、各基地局１−１、１−２と端末２との間の通信に係る設定を示す通信設定情報を作成する。通信設定情報は、基地局１−１と端末２との間の通信に係る設定を示す第１の通信設定情報と、基地局１−２と端末２との間の通信に係る設定を示す第２の通信設定情報と、を含む。通信設定情報は、端末２ごとに作成される。第１の通信設定情報は、端末２が基地局１−１と通信可能な場合に作成される。第２の通信設定情報は、端末２が基地局１−２と通信可能な場合に作成される。
【００２１】
基地局１−１は、通信設定作成部１１が作成した通信設定情報を端末２に送信する。端末２は、基地局１−１から受信した通信設定情報を通信設定保持部２１に格納する。また、基地局１−１は、通信設定作成部１１が作成した第１の通信設定情報を自己の通信設定保持部１２に格納する。また、基地局１−１は、通信設定作成部１１が作成した第２の通信設定情報を基地局１−２に送信する。基地局１−１、１−２間の通信は、有線ネットワーク、又は無線ネットワークを用いて行われる。基地局１−２は、基地局１−１から受信した第２の通信設定情報を自己の通信設定保持部１２に格納する。基地局１−１と端末２は、第１の通信設定情報を用いて通信を行う。基地局１−２と端末２は、第２の通信設定情報を用いて通信を行う。
【００２２】
［通信設定情報］
通信設定情報の例を以下に挙げる。なお、基地局１−１、１−２を特に区別しないときは「基地局１」と称する。
（１）送信可能ＴＴＩ（Transmission Time Interval：送信間隔）情報
通信設定情報は、端末２が上りリンクの送信を行うことが可能な時間（送信可能ＴＴＩ）を示す送信可能ＴＴＩ情報を含む。送信可能ＴＴＩ情報は、例えば、端末２が下りリンクデータ送信に対するＡＣＫ／ＮＡＣＫ返信および上りリンクデータ送信を行うことが可能な時間を示す。
【００２３】
送信可能ＴＴＩ情報は、同じ送信可能ＴＴＩ情報が基地局１及び端末２により周期的に用いられてもよい。又は、送信可能ＴＴＩ情報は、定期的（例えば送信可能ＴＴＩ情報が示す送信間隔ＴＴＩごと）に更新されてもよい。
【００２４】
第１の通信設定情報の送信可能ＴＴＩ情報と第２の通信設定情報の送信可能ＴＴＩ情報とは、異なるようにしてもよい。第１の通信設定情報の送信可能ＴＴＩ情報と第２の通信設定情報の送信可能ＴＴＩ情報に関して送信間隔の時間比は、各基地局１−１、１−２と端末２との間の無線環境、要求通信品質または無線リソース使用率に応じて決定されるようにしてもよい。
【００２５】
（２）ＤＲＸ（Discontinuous Reception：不連続受信）の設定情報
通信設定情報は、送信可能ＴＴＩを「onDuration：不連続受信あり」で包含するＤＲＸ設定情報を含む。端末２は、送信可能ＴＴＩ情報に該当しない「onDuration」では不連続受信を行わないようにしてもよい。
【００２６】
次に、本実施形態に係る通信設定情報の作成方法について実施例を挙げて説明する。
【実施例１】
【００２７】
実施例１は、端末２がＦＤＤの複数のＣＣを用いて上りリンクの送信を行う場合である。この場合、端末２が上りリンクの送信に使用可能なサブフレーム（Subframe）に制約はない。従って、通信設定作成部１１は、任意に通信設定情報を作成することができる。
【００２８】
図２は本発明に係る通信設定情報の作成方法の実施例１を説明するための通信設定情報の例である。図２において、端末２は、ＣＣ＃０の基地局１に対して、サブフレームＩＤが０、８、１６であるサブフレーム（送信可能ＴＴＩに対応するサブフレーム）で上りリンク送信を行うことができる。ここで、ＬＴＥでは、サブフレームは１ｍｓ間隔であり、上りリンクのＨＡＲＱ（Hybrid Automatic Repeat Request）再送の最小周期は８ｍｓである。このため、図２に示すようにＣＣ＃０に対して８個のサブフレームの間隔で送信可能ＴＴＩを設定し、それ以外のサブフレームでＣＣ＃１に対して送信可能ＴＴＩを設定することにより、ＣＣ＃０及びＣＣ＃１の両方で８ｍｓ周期での上りＨＡＲＱ再送を実現できる。
【００２９】
ＬＴＥでは、上りデータ送信指示（UL grant）は、上りデータ送信（PUSCH）の４ｍｓ前に行われる。また、下りデータ送信（DL assign）に対するＡＣＫ／ＮＡＣＫ信号（ACK）の返信は、下りデータ送信の４ｍｓ後に行われる。従って、図２において、ＣＣ＃０の基地局１は、端末２に対して、「DL assign」及び「UL grant」を、サブフレームＩＤが４、１２、２０であるサブフレームで行う。
【００３０】
なお、図２の通信設定情報の例では、ＣＣ＃０とＣＣ＃１の送信可能ＴＴＩの比率は１対７であるが、各ＣＣの帯域幅、端末２の各ＣＣに対する要求ＱｏＳなどに応じて、該送信可能ＴＴＩの比率を決めてもよい。
【実施例２】
【００３１】
実施例２は、端末２が、ＦＤＤの複数のＣＣを用いて上りリンクの送信行い、且つ、音声通話を同時に行う場合である。ＬＴＥで音声通話（Voice over LTE、VoLTE）を行う場合、「TTI bundling」機能を使って、音声通話の上りのサービスカバレッジを補償することができる。
【００３２】
「TTI bundling」機能では以下に示す制約（１）、（２）がある。
（１）１回の上りリンク送信で送信するパケットを、４個の連続するサブフレームに渡って連続送信する。
（２）４つの連続するサブフレームに渡って連続送信を行ったが正常受信されなかったために再送を行う場合には、１６個のサブフレーム後に再度、４個の連続するサブフレームに渡って連続送信する。
【００３３】
図３は本発明に係る通信設定情報の作成方法の実施例２を説明するための通信設定情報の例である。図３において、端末２は、ＣＣ＃０の基地局１に対して、サブフレームＩＤが０〜３、８〜１１、１６〜１９の各４個の連続するサブフレーム（送信可能ＴＴＩに対応するサブフレーム）で上りリンク送信を行うことができる。これにより、端末２は、「TTI bundling」機能を用いて音声通話を行っても、「TTI bundling」機能の上記制約を守ることができる。例えば、端末２は、サブフレームＩＤが０〜３の４個の連続するサブフレームでパケットを連続送信し、それが正常受信されなかった場合には、１６個のサブフレーム後に、サブフレームＩＤが１６〜１９の４個の連続するサブフレームで再度、連続送信できる。
【００３４】
このため、通信設定作成部１１は、ＦＤＤのＣＣに対して、４個の連続する送信可能ＴＴＩが８個のＴＴＩ周期または１６個のＴＴＩ周期となるように、通信設定情報を作成する。これにより、端末２は、「TTI bundling」機能を用いていても、問題なく、ＦＤＤの複数のＣＣを用いて上りリンクの送信を行うことができる。
【実施例３】
【００３５】
実施例３は、端末２がＦＤＤのＣＣとＴＤＤのＣＣを用いて上りリンクの送信を行う場合である。この場合、端末２がＦＤＤのＣＣを用いて上りリンク送信を行うことが可能なサブフレームは、ＴＤＤのＣＣにおける上りリンク送信のサブフレーム以外のサブフレームである。従って、通信設定作成部１１は、ＦＤＤのＣＣにおける送信可能ＴＴＩを、ＴＤＤのＣＣにおける上りリンク送信のサブフレーム（送信可能ＴＴＩ）以外のサブフレームに設定する。
【００３６】
図４は本発明に係る通信設定情報の作成方法の実施例３を説明するための通信設定情報の例である。通信設定作成部１１は、図４の通信設定情報に示されるように、ＴＤＤのＣＣ＃１のＴＤＤパタンにおいて上りリンク送信（Ｕ）以外のサブフレームに対して、ＦＤＤのＣＣ＃０における送信可能ＴＴＩを設定する。
【００３７】
図４において、端末２は、ＦＤＤのＣＣ＃０の基地局１に対して、ＴＤＤのＣＣ＃１の基地局１に係る上りリンク送信のサブフレーム以外であるサブフレームＩＤが０〜１、５〜６、１０〜１１、１５〜１６、２０〜２１、２５〜２６のサブフレーム（送信可能ＴＴＩに対応するサブフレーム）で上りリンク送信を行うことができる。このように、ＴＤＤのＣＣ＃１のＴＤＤパタンに合わせてＦＤＤのＣＣ＃０の通信設定情報を作成すれば、ＴＤＤのＣＣ＃１ではＴＤＤパタンに従えばよいので、ＴＤＤのＣＣ＃１の通信設定情報は作成しなくてもよくなる。従って、ＴＤＤのＣＣ＃１の通信設定情報をＣＣ＃１の基地局１及び端末２に送信することが不要となる。
【００３８】
また、端末２は、ＦＤＤのＣＣ＃０において、上りリンク送信を行うことが可能なタイミングのときに、次のＨＡＲＱ再送のタイミング（８ｍｓ後）が送信可能ＴＴＩである場合には、ＨＡＲＱ送信を一旦スキップするようにしてもよい。
【００３９】
なお、ＴＤＤの「Uplink-downlink configuration」が５以外では、ＴＤＤのＴＤＤパタンの上りリンク送信（Ｕ）を回避して、ＦＤＤのＣＣに対する送信可能ＴＴＩを設定することはできない。
【実施例４】
【００４０】
実施例４は、端末２がＦＤＤのＣＣとＴＤＤのＣＣを用いて上りリンクの送信を行う場合の他の実施例である。この場合、実施例３と同様に、端末２がＦＤＤのＣＣを用いて上りリンク送信を行うことが可能なサブフレームは、ＴＤＤのＣＣにおける上りリンク送信のサブフレーム以外のサブフレームである。従って、通信設定作成部１１は、ＦＤＤのＣＣにおける送信可能ＴＴＩを、ＴＤＤのＣＣにおける上りリンク送信のサブフレーム（送信可能ＴＴＩ）以外のサブフレームに設定する。
【００４１】
図５は本発明に係る通信設定情報の作成方法の実施例４を説明するための通信設定情報の例である。通信設定作成部１１は、図５の通信設定情報に示されるように、ＴＤＤのＣＣ＃１のＴＤＤパタンには制約されることなく（ＦＤＤのＣＣ＃０の送信可能ＴＴＩを設定可能なサブフレームとして、ＴＤＤパタンで上りリンク送信（Ｕ）のサブフレームも含める）、送信可能ＴＴＩを、ＦＤＤのＣＣ＃０とＴＤＤのＣＣ＃１とで排他的に設定する。
【００４２】
次いで、通信設定作成部１１は、ＦＤＤのＣＣ＃０に対して、設定済みの送信可能ＴＴＩに加えて、ＴＤＤのＣＣ＃１のＴＤＤパタンで上りリンク送信（Ｕ）のサブフレーム以外のサブフレームを、上りリンク送信可能なタイミングに設定する。これにより、端末２は、図５中のＦＤＤのＣＣ＃０において「ＵＬ（実際に送信可能なタイミング）」として「ＰＵＣＣＨ，ＡＣＫ」が記載されるサブフレームで上りリンク送信を行うことができる。
【００４３】
次いで、通信設定作成部１１は、ＴＤＤのＣＣ＃１に対して、設定済みの送信可能ＴＴＩのうち、ＴＤＤのＣＣ＃１のＴＤＤパタンで上りリンク送信（Ｕ）のサブフレームのみを、上りリンク送信可能なタイミングに設定する。これにより、端末２は、図５中のＴＤＤのＣＣ＃１において「ＵＬ（実際に送信可能なタイミング）」として「ＰＵＣＣＨ，ＡＣＫ」が記載されるサブフレームで上りリンク送信を行うことができる。
【００４４】
また、端末２は、ＦＤＤのＣＣ＃０において、上りリンク送信を行うことが可能なタイミングのときに、次のＨＡＲＱ再送のタイミング（８ｍｓ後）が送信可能ＴＴＩである場合には、ＨＡＲＱ送信を一旦スキップするようにしてもよい。
【００４５】
なお、上記実施例１〜４に係る図２〜図５の通信設定情報の例においては、ＦＤＤのＣＣにおいて、上りリンク送信を行うことが可能なＴＴＩから４つ前のＴＴＩのみに「DL assign」を制限している。しかし、以下の取決め（１）を行うことによって、「DL assign」に係る該制限は不要となる。
（１）２つの連続する「上りリンク送信を行うことが可能なＴＴＩ」を「サブフレームＩＤ＝ｉ，ｊ（ｉ＞ｊ）」とする。ｉとｊの間に「上りリンク送信を行ってはいけないＴＴＩ」を挟んでもよい。ＴＴＩ（ｉ）で返信するＡＣＫ／ＮＡＣＫは、ＴＴＩ（ｊ−３，ｊ−２，・・・，ｉ−４）で行われた「DL assign（DL送信）」のそれぞれのＡＣＫ／ＮＡＣＫの論理積である。
【実施例５】
【００４６】
実施例５は、端末２がスケジューリング・リクエスト（SR：Scheduling Request）を送信する場合である。端末２では、端末２内の送信バッファが空の状態において新たに上りの送信要求が発生し、該送信バッファに上りの送信パケットが到着した時に、ＳＲ送信のトリガーがかかる。端末２は、ＳＲ送信のトリガーがかかると、事前に割り当てられているＳＲ送信用の上りリンクＴＴＩでＳＲ送信を行う。そのＳＲ送信用の上りリンクＴＴＩは、通信設定情報とは無関係である。このままでは、通信設定情報の送信可能ＴＴＩとＳＲ送信用の上りリンクＴＴＩとで不整合が生じるので、図６に示す通信制御処理を行う。
【００４７】
図６は、本発明に係る通信制御処理の実施例５を説明するためのフローチャートである。端末２は、上りリンクにおいて、あるＴＴＩになると、図６の処理を開始する。
【００４８】
（ステップＳ１１）当該ＴＴＩがＳＲ送信用であり、且つ、ＳＲ送信のトリガーが発生しているかを判断する。この判断の結果が、「Ｙｅｓ」である場合にはステップＳ１２に進み、「Ｎｏ」である場合には図６の処理を終了する。
【００４９】
（ステップＳ１２）当該ＴＴＩでの上りデータ送信指示（UL grant）があるかを判断する。この判断の結果が、「Ｙｅｓ」である場合にはステップＳ１４に進み、「Ｎｏ」である場合にはステップＳ１３に進む。
【００５０】
（ステップＳ１３）当該ＴＴＩのＣＣ以外のＣＣで上りリンク送信が発生するかを判断する。この判断の結果が、「Ｙｅｓ」である場合には図６の処理を終了し、「Ｎｏ」である場合にはステップＳ１５に進む。
【００５１】
（ステップＳ１４）ＳＲ送信のトリガーを解除する。これにより、当該ＴＴＩでの上りデータ送信指示（UL grant）が可能となる。
【００５２】
（ステップＳ１５）当該ＴＴＩでＳＲ送信を行う。
【００５３】
なお、端末２は、ＰＵＣＣＨ（Physical Uplink Control Channel）を用いたＣＳＩ（Channel State Information）送信についても、通信設定情報とは無関係に、事前に割り当てられているＣＳＩ送信用の上りリンクＴＴＩでＣＳＩ送信を行う。このため、上記図６のＳＲ送信に係る通信制御処理と同様に、ＣＳＩ送信用の上りリンクＴＴＩにおいて、上りリンク送信なし且つ他のＣＣで上り送信なしである場合にＣＳＩ送信を行うとする。
【００５４】
上述した実施形態によれば、複数のＣＣを利用する無線通信システムにおいて、複数のＣＣを同時に用いた上りリンクの同時送信ができない無線端末装置を収容することができる。また、ＦＤＤのＣＣとＴＤＤのＣＣを組み合わせて利用する場合に、上りリンクの同時送信ができない無線端末装置を収容し、且つ、ＦＤＤのＣＣとＴＤＤのＣＣにおいて無線リソースを効率よく使用することができる。
【００５５】
以上、本発明の実施形態について図面を参照して詳述してきたが、具体的な構成はこの実施形態に限られるものではなく、本発明の要旨を逸脱しない範囲の設計変更等も含まれる。
【００５６】
例えば、上述の実施形態では、通信設定装置としての基地局１−１に通信設定作成部１１を備えたが、本発明に係る通信設定装置は、基地局に具備されてもよく、又は、基地局とは独立の装置として設けられてもよい。
【００５７】
又、上述した実施形態では、無線通信方式の一例としてＬＴＥを挙げたが、他の無線通信方式にも同様に適用可能である。
【符号の説明】
【００５８】
１−１…無線基地局装置（通信設定装置）、１−２…無線端末装置、１１…通信設定作成部、１２，２１…通信設定保持部
【図１】
2014138336.tif 000003
【図２】
2014138336.tif 000004
【図３】
2014138336.tif 000005
【図４】
2014138336.tif 000006
【図５】
2014138336.tif 000007
【図６】
2014138336.tif 000008
【図７】
2014138336.tif 000009
【図８】
2014138336.tif 000010